(57)【特許請求の範囲】
【請求項１】
１つの対象物を複数の軸に関して測定するための装置であって、測定したい対象物が測定テーブル上に固定可能である形式のものにおいて、
測定平面で固定可能なベース条片（１）が設けられていて、このベース条片（１）が、側方で半鳩尾形プロフィール（２）として形成されており、該半鳩尾形プロフィール（２）に適合する、溝（３）が設けられた組み付け条片（４）が設けられていて、該組み付け条片（４）は、光学的に透過性の可動の測定テーブル（８）が設けられている場合に、一方の側面（５）に歯列プロフィール（６）を有しており、溝（３）に固定ねじ（７）が配属されており、ベース条片（１）と組み付け条片（４）とが、測定テーブル（８）の平面が、組み付け条片（４）の下面（９）のために基準平面として利用されるように寸法設定されて、測定テーブル（８）に配置されており、対象物（１０）を位置固定する緊定部材（１１）が設けられていることを特徴とする、１つの対象物を複数の軸に関して測定するための装置。
【請求項２】
１つの対象物を複数の軸に関して測定するための装置であって、測定したい対象物が測定テーブル上に固定可能である形式のものにおいて、
測定平面で固定可能なベース条片（１Ａ）が設けられていて、このベース条片（１Ａ）が、側方で半鳩尾形プロフィール（２Ａ）として形成されており、該半鳩尾形プロフィール（２Ａ）に適合する、溝（３Ａ）が設けられた組み付けプレート（４Ａ）が設けられていて、該組み付けプレート（４Ａ）は、接触式に測定が行われる場合には、上面（５Ａ）に作孔（６Ａ）を有しており、溝（３Ａ）に固定ねじ（７Ａ）が配属されており、ベース条片（１Ａ）と組み付けプレート（４Ａ）とが、測定テーブル（８Ａ）の平面が、組み付けプレート（４Ａ）の下面（９Ａ）のために基準平面として利用されるように寸法設定されて、測定テーブル（８Ａ）に配置されており、対象物（１０Ａ）を位置固定する緊定部材（１１Ａ）が設けられていることを特徴とする、１つの対象物を複数の軸に関して測定するための装置。
【請求項３】
ベース条片（１）が２つの側（１２，１３）で半鳩尾形プロフィール（２）を有している、請求項１記載の装置。
【請求項４】
固定ねじ（７）が、鉛直方向に対して傾けられて配置されている、請求項１記載の装置。
【請求項５】
ベース条片（１Ａ）が２つの側（１２Ａ，１３Ａ）で半鳩尾形プロフィール（２Ａ）を有している、請求項２記載の装置。
【請求項６】
固定ねじ（７Ａ）が、鉛直方向に対して傾けられて配置されている、請求項２記載の装置。
【発明の詳細な説明】
【０００１】
本発明は、１つの対象物を複数の軸に関して測定するための装置であって、測定したい対象物が測定テーブル上に固定可能である形式のものに関する。
【０００２】
このような形式の装置は、例えば雑誌「コントローレ（Ｋｏｎｔｒｏｌｌｅ）」１０／９６、１２頁以下および９／９７に参照されるように公知である。この公知の測定テーブルは、ほぼ光学的に透過性のプレートであって、通常は２つの方向で、測定過程中に運動可能である。測定過程は高い速度で実行されるので、測定テーブルと、該測定テーブル上に位置固定された測定すべき対象物とに比較的高い加速力が加えられる。通常のように、測定すべき対象物が、例えばペースト材料によって測定テーブルに固定されるならば、高い加速力に基づき、対象物の位置が測定中に変更されてしまい、ひいては測定不能となる。
【０００３】
接触式の測定のために、相応の装置が公知である（カタログ「Ｍｉｔｕｔｏｙｏ Ｐｒａｅｚｉｓｉｏｎｓｍｅｓｓｔｅｃｈｎｉｋ」１．版５／９９、Ａ１〜Ａ１４頁）。この公知の座標測定装置では、測定したいワークを固定するために種々様々な緊定システムが設けられている。このような装置の使用者からは、より簡単かつ迅速にワークを緊定することができるようにという要求があがっている。
【０００４】
本発明の課題は、冒頭で述べた形式の装置において、測定すべき対象物を、可動の測定テーブルであっても、全測定過程中にわたって位置が変化しないように測定テーブルに迅速かつ確実に位置固定することである。
【０００５】
この課題を解決するために本発明の構成では、１つの対象物を複数の軸に関して無接触式に光学的に測定するための装置では、測定平面で固定可能なベース条片が設けられていて、このベース条片が、側方で半鳩尾形プロフィールとして形成されており、該半鳩尾形プロフィールに適合する、溝が設けられた組み付け条片が設けられていて、該組み付け条片は、一方の側面に歯列プロフィールを有しており、溝に固定ねじが配属されており、ベース条片と組み付け条片とが、測定テーブルの平面が、組み付け条片の下面のために基準平面として利用されるように寸法設定されて、測定テーブルに配置されており、対象物を位置固定する緊定部材が設けられているようにした。
【０００６】
本発明の別の構成では、ベース条片の２つの側面に、半鳩尾形プロフィールが設けられている。
【０００７】
本発明によれば、固定ねじは、垂直に対して傾けられて配置されている。
【０００８】
上記課題は、１つの対象物を複数の軸に関して接触式に測定するための装置では、測定平面で固定可能なベース条片が設けられていて、このベース条片が、側方で半鳩尾形プロフィールとして形成されており、該半鳩尾形プロフィールに適合する、溝が設けられた組み付けプレートが設けられていて、該組み付けプレートは、上面に作孔を有しており、溝に固定ねじが配属されており、ベース条片と組み付けプレートとが、測定テーブルの平面が、組み付けプレートの下面のために基準平面として利用されるように寸法設定されて、測定テーブルに配置されており、対象物を位置固定する緊定部材が設けられていることにより解決される。
【０００９】
本発明により得られる利点は特に、測定テーブルが可動であっても、測定したい対象物を確実かつ迅速に測定テーブル上に固定できることにある。
【００１０】
本発明を図面につき詳しく説明する。
【００１１】
無接触式の光学的な測定の場合の実施例が示されており、この場合、
図１は、装着された組み付け条片を備えたベース条片の斜視図であって、
図２は、これら両条片の断面図であって、
図３は、種々のベース条片および組み付け条片を有した測定テーブルと、測定したい対象物と、緊定部材とを示した図である。
【００１２】
接触式の測定のための別の実施例が示されており、この場合、
図１Ａは、装着された組み付けプレートを備えたベース条片の斜視図であって、
図２Ａは、図１Ａのベース条片と組み付けプレートの断面図であって、
図３Ａは、種々のベース条片および組み付けプレートを有した測定テーブルと、測定したい対象物と、緊定部材とを示した図である。
【００１３】
図１および図２には、ベース条片１と、該ベース条片に嵌合する組み付け条片４による本発明の原理が明瞭に示されている。ベース条片１は、側方で、有利には両側１２，１３で、半鳩尾形プロフィール２として形成されている。即ち、ベース条片１の舌片１４は上側でだけ傾斜して形成されている。組み付け条片４は、半鳩尾形プロフィール２に適合する溝３を有している。組み付け条片４の１つの側面５には、歯列プロフィール６が設けられている。この歯列プロフィール６は、無接触式の光学的な測定を実現するために働く。ベース条片１への組み付け条片４の結合部では、固定ねじ７が使用される。この固定ねじ７は、舌片１４の上面に最適にクランプ固定することができるように、垂直方向に対して傾けられて配置されている。
【００１４】
ベース条片１と組み付け条片４とは、測定テーブル８の平面が、組み付け条片４の下面９のために基準平面として利用されるように、寸法設定され、測定テーブル８に配置されている。このことは、組み付け条片４をベース条片１に組み付ける際に、測定テーブル８の平面が、ベース条片１に向かって摺動してくる組み付け条片４のためのいわゆるガイドとして働くことを意味している。これにより迅速かつ確実な測定スペースの形成が可能である。
【００１５】
図３には符号８で可動の測定テーブルが示されている。１はベース条片であって、このベース条片１に固定ねじ７によって組み付け条片４が固定されている。１０は測定したい対象物であって、この対象物１０は緊定部材１１によって、歯列の設けられた２つの組み付け条片４に押し付けられる。このように、公知の手段（ペースト材料による）とは異なり、高い測定速度、ひいては生じる大きな加速力に対しても、測定したい対象物１０を可動の測定テーブル上に確実に位置固定することができる。
【００１６】
本発明は、冒頭で詳しく述べた形式の全ての装置において、２つの軸線を介して測定すべきであるか、または３次元的に測定すべきであるかどうかには関わらず使用することができる。
【００１７】
図１Ａおよび図２Ａによれば、接触式の測定におけるベース条片１Ａと、これに嵌合する組み付けプレート４Ａによる本発明の原理が示されている。ベース条片１Ａは側方で、有利には両側１２Ａ，１３Ａで、半鳩尾形プロフィール２Ａとして形成されている。即ち、ベース条片１Ａの舌片１４Ａが、上側でだけ傾斜して形成されている。組み付けプレート４Ａは、半鳩尾形プロフィール２Ａに適合する溝３Ａを有している。組み付けプレート４Ａの上面５Ａには、作孔６Ａが設けられている。この孔は、測定すべきワークを収容するために使用される。組み付けプレート４Ａをベース条片１Ａに結合するために、固定ねじ７Ａが使用される。この固定ねじ７Ａは、舌片１４Ａの上面において良好なクランプ固定が可能であるように、垂直方向に対して傾けられて配置されている。
【００１８】
ベース条片１Ａと組み付けプレート４Ａとは、測定テーブル８Ａの平面が、組み付けプレート４Ａの下面９Ａのために基準平面として利用されるように、寸法設定され、測定テーブル８Ａに配置されている。このことは、組み付けプレート４Ａをベース条片１Ａに組み付ける際に、測定テーブル８Ａの平面が、ベース条片１Ａに向かって摺動してくる組み付けプレート４Ａのためのいわゆるガイドとして働くことを意味している。これにより迅速かつ確実な測定スペースの形成が可能である。
【００１９】
図３Ａには符号８Ａで測定テーブルが示されている。１Ａはベース条片であって、このベース条片１Ａに固定ねじ７Ａによって組み付けプレート４Ａが固定されている。１０Ａは測定したい対象物であって、この対象物１０Ａは緊定部材１１Ａによって、２つの組み付けプレート４Ａに押し付けられる。このように、公知の手段とは異なり、測定したい対象物１０Ａの確実な位置固定が、可動の測定テーブル８Ａ上で得られる。緊定部材１１Ａは、作孔６Ａの孔の１つに固定（ねじ固定）されている。
【図面の簡単な説明】
【図１】装着された組み付け条片を備えたベース条片の斜視図である。
【図１Ａ】装着された組み付けプレートを備えたベース条片の斜視図である。
【図２】図１の両条片の断面図である。
【図２Ａ】図１Ａのベース条片と組み付けプレートの断面図である。
【図３】種々のベース条片および組み付け条片を有した測定テーブルと、測定したい対象物と、緊定部材とを示した図である。
【図３Ａ】種々のベース条片および組み付けプレートを有した測定テーブルと、測定したい対象物と、緊定部材とを示した図である。
【図１】
0003590024.tif 000002
【図２】
0003590024.tif 000003
【図３】
0003590024.tif 000004
【図１Ａ】
0003590024.tif 000005
【図２Ａ】
0003590024.tif 000006
【図３Ａ】
0003590024.tif 000007